(57)【要約】【課題】フレームが到来していないにもかかわらずフレーム到来を検出してしまうような誤検出による送信機会の喪失を防止する。【解決手段】本発明の一態様に係る通信装置は、伝送媒体が使用中であることを示す第１の状態か、使用中でないことを示す第２の状態か、使用中か否かを判断中であることを示す第３の状態か、を判断する手段６と、第１の状態及び第３の状態においてデータ送信を禁止し、第２の状態においてデータ送信を許可する手段８とを具備する。【選択図】      図１
2010028750.tif 000002
【特許請求の範囲】
【請求項１】
伝送媒体が使用中であることを示す第１の状態か、使用中でないことを示す第２の状態か、使用中か否かを判断中であることを示す第３の状態か、を判断する手段と、
前記第１の状態及び前記第３の状態においてデータ送信を禁止し、前記第２の状態においてデータ送信を許可する手段と
を具備する通信装置。
【請求項２】
IEEE802.11規格に準拠していることを特徴とする請求項１記載の通信装置。
【請求項３】
伝送媒体が使用中か否か判断する第１の判断手段と、
前記第１の判断手段によって前記伝送媒体が使用中と判断された場合に第１の状態と判断し、前記第１の判断手段によって前記伝送媒体が使用中でないと判断された場合に第２の状態と判断し、前記第１の判断手段によって前記伝送媒体が使用中か否かを判断中の場合に第３の状態と判断する第２の判断手段と、
保持されている値を増加又は減少させるカウンタと、
前記第２の判断手段において前記第１の状態と判断された場合に前記カウンタのカウンタ値を所定値とし、前記第１の状態から前記第２の状態に遷移した場合に前記カウンタにおける前記カウンタ値の増加又は減少を開始させ、前記第２の状態から前記第３の状態に遷移した場合に前記カウンタにおける前記カウンタ値の増加又は減少動作を維持するカウンタ設定手段と、
前記第２の判断手段によって前記第２の状態と判断され、前記カウンタにおけるカウンタ値が所定のしきい値以上又は以下となった場合にデータ送信可能と判断する第３の判断手段と、
前記第３の判断手段によってデータ送信可能と判断された場合にデータ送信を行う手段と
を具備する通信装置。
【請求項４】
受信信号の強度を測定する受信信号強度測定手段と、
前記受信信号の強度が所定のしきい値以上か否かを判断するしきい値判断手段と、
前記受信信号に基づいてデータ受信開始信号を発行する受信トリガ手段と、
前記データ受信開始信号が発行された後、前記受信信号の先頭部分が所定の波形であるか否かを判断するプリアンブル検出手段と、
前記データ受信開始信号が発行された後、前記受信信号の受信を開始し、前記受信信号の受信が完了された後に、データ受信終了信号を発行する受信手段と、
前記データ受信開始信号と前記データ受信完了信号とに基づいて、伝送媒体がデータ受信中と判断される場合を前記伝送媒体が使用中であることを示す第１の状態とし、前記第１の状態において前記しきい値判断手段によって前記受信信号の強度が所定のしきい値以上でないと判断された場合に、前記伝送媒体が使用中でないことを示す第２の状態に遷移する第１のキャリアセンス手段と、
前記第２の状態において前記しきい値判断手段によって前記受信信号の強度が所定のしきい値以上と判断された場合に、前記第１の状態に遷移し、前記第２の状態において前記受信トリガ手段によって前記データ受信開始信号が発行された場合に前記伝送媒体が使用中か否かを判断中であることを示す第３の状態に遷移する第２のキャリアセンス手段と、
前記第３の状態において前記プリアンブル検出手段によって前記受信信号の先頭部分が所定の波形であると判断された場合に、前記第１の状態に遷移し、前記第３の状態において前記プリアンブル検出手段によって前記受信信号の先頭部分が所定の波形でないと判断された場合に、前記第２の状態に遷移し、前記第３の状態において前記しきい値判断手段によって前記受信信号の強度が所定のしきい値以上と判断された場合に、前記第１の状態に遷移する第３のキャリアセンス手段と、
前記第２の状態においてデータ送信を行う送信手段と
を具備する通信装置。
【請求項５】
前記第１のキャリアセンス手段は、前記第１の状態において前記しきい値判断手段によって前記受信信号の強度が所定のしきい値未満となった場合に、前者の遷移条件を優先し、前記第１の状態を維持し、
前記第２のキャリアセンス手段は、前記第２の状態において前記受信信号の強度が所定のしきい値以上になると同時に前記受信トリガ手段によって前記データ受信開始信号が発行された場合に、前者を優先し、前記第１の状態に遷移し、
前記第３のキャリアセンス手段は、前記第３の状態において前記受信信号の強度が所定のしきい値以上になると同時に前記プリアンブル検出手段によって前記受信信号の先頭部分が所定の波形でないと判断された場合に、前者を優先し、前記第１の状態に遷移する
ことを特徴とする請求項４記載の通信装置。
【発明の詳細な説明】
【技術分野】
【０００１】
本発明は、キャリアセンス機能を備える通信装置に関する。
【背景技術】
【０００２】
IEEE802.11諸規格（IEEE802.11a/b/g/nなど）に準拠している無線ＬＡＮ通信は、ＣＳＭＡ／ＣＡ（Carrier Sense Multiple Access/with Collision Avoidance）に基づくランダムアクセス方式であるため、受信フレームの到来時刻は未知であり、端末は基本的に常時フレーム検出動作を行っている。
【０００３】
この無線ＬＡＮ通信においては、自局の熱雑音、周辺機器の電気的雑音の影響で、フレーム誤検出（フレームが到来していないにも関わらず、フレームの到来を検出してしまうこと）を完全に回避することは困難である。
【０００４】
IEEE802.11諸規格では、フレームを検出した場合にはキャリアが存在すると判断し、送信を禁止するとともに、送信機会を待つカウンタの値をクリアする。このため、フレーム誤検出は、大きな送信機会の損失原因となる。
【０００５】
無線での送信開始前に、装置自体が発生するノイズの影響を受けずに正確なキャリアセンスを行うための技術として、例えば特許文献１がある。
【０００６】
特許文献１では、通信時に制御回路部は、タイマー回路を一定時間作動させ、制御回路部自身を一時停止状態とする。割込み回路部は、タイマー回路部がタイムアウトすると、制御回路部に対して割込みを行い、制御回路部は再動作する。制御回路部は再動作直後に無線制御部によってキャリアセンスを行う。この特許文献１は、誤ってキャリアが存在すると判断しそうな時期を送信時と考え、この送信時においてＣＣＡ（Clear Channel Assessment）判定を行わない技術である。
【０００７】
これに対して、特許文献２には、誤ってキャリアが存在すると判断しそうな時期を内蔵ＤＲＡＭリフレッシュ時と考え、内蔵ＤＲＡＭリフレッシュ時においてＣＣＡ判定を行わない技術である。
【０００８】
しかしながら、この特許文献１，２では、熱騒音に起因する誤検出、自局以外の不要輻射電波に起因する誤検出を回避することが困難である。
【特許文献１】特開平０８−０１９０３０号公報
【特許文献２】特開平０６−１６４４４４号公報
【発明の開示】
【発明が解決しようとする課題】
【０００９】
本発明は、以上のような実情に鑑みてなされたもので、データが到来していないにもかかわらずデータ到来を検出してしまうような誤検出による送信機会の喪失を防止する通信装置を提供することを目的とする。
【課題を解決するための手段】
【００１０】
本発明の第１の態様に係る通信装置は、伝送媒体が使用中であることを示す第１の状態か、使用中でないことを示す第２の状態か、使用中か否かを判断中であることを示す第３の状態か、を判断する手段と、第１の状態及び第３の状態においてデータ送信を禁止し、第２の状態においてデータ送信を許可する手段とを具備する。
【００１１】
本発明の第２の態様に係る通信装置は、伝送媒体が使用中か否か判断する第１の判断手段と、第１の判断手段によって伝送媒体が使用中と判断された場合に第１の状態と判断し、第１の判断手段によって伝送媒体が使用中でないと判断された場合に第２の状態と判断し、第１の判断手段によって伝送媒体が使用中か否かを判断中の場合に第３の状態と判断する第２の判断手段と、保持されている値を増加又は減少させるカウンタと、第２の判断手段において第１の状態と判断された場合にカウンタのカウンタ値を所定値とし、第１の状態から第２の状態に遷移した場合にカウンタにおけるカウンタ値の増加又は減少を開始させ、第２の状態から第３の状態に遷移した場合にカウンタにおけるカウンタ値の増加又は減少動作を維持するカウンタ設定手段と、第２の判断手段によって第２の状態と判断され、カウンタにおけるカウンタ値が所定のしきい値以上又は以下となった場合にデータ送信可能と判断する第３の判断手段と、第３の判断手段によってデータ送信可能と判断された場合にデータ送信を行う手段とを具備する。
【００１２】
本発明の第３の態様に係る通信装置は、受信信号の強度を測定する受信信号強度測定手段と、受信信号の強度が所定のしきい値以上か否かを判断するしきい値判断手段と、受信信号に基づいてデータ受信開始信号を発行する受信トリガ手段と、データ受信開始信号が発行された後、受信信号の先頭部分が所定の波形であるか否かを判断するプリアンブル検出手段と、データ受信開始信号が発行された後、受信信号の受信を開始し、受信信号の受信が完了された後に、データ受信終了信号を発行する受信手段と、データ受信開始信号とデータ受信完了信号とに基づいて、伝送媒体がデータ受信中と判断される場合を伝送媒体が使用中であることを示す第１の状態とし、第１の状態においてしきい値判断手段によって受信信号の強度が所定のしきい値以上でないと判断された場合に、伝送媒体が使用中でないことを示す第２の状態に遷移する第１のキャリアセンス手段と、第２の状態においてしきい値判断手段によって受信信号の強度が所定のしきい値以上と判断された場合に、第１の状態に遷移し、第２の状態において受信トリガ手段によってデータ受信開始信号が発行された場合に伝送媒体が使用中か否かを判断中であることを示す第３の状態に遷移する第２のキャリアセンス手段と、第３の状態においてプリアンブル検出手段によって受信信号の先頭部分が所定の波形であると判断された場合に、第１の状態に遷移し、第３の状態においてプリアンブル検出手段によって受信信号の先頭部分が所定の波形でないと判断された場合に、第２の状態に遷移し、第３の状態においてしきい値判断手段によって受信信号の強度が所定のしきい値以上と判断された場合に、第１の状態に遷移する第３のキャリアセンス手段と、第２の状態においてデータ送信を行う送信手段とを具備する。
【発明の効果】
【００１３】
本発明により、データが到来していないにもかかわらずデータ到来を検出してしまうような誤検出による送信機会の喪失を防止することができる。
【発明を実施するための最良の形態】
【００１４】
以下、図面を参照しながら本発明の実施の形態について説明する。なお、以下の各図において同様の部分については同一の符号を付して説明を省略する。
【００１５】
（第１の実施の形態）
本実施の形態においては、キャリアセンス機能を持つ通信装置について説明する。以下においては、主に、IEEE802.11諸規格向けのＳｏＣについて説明するが、同様の技術はキャリアセンスを行う通信装置全般に適用可能である。
【００１６】
本実施の形態は、無線ＬＡＮ通信（IEEE802.11a/b/g/nなど）のＣＣＡに関する技術である。本実施の形態においては、busy状態（第１の状態）及びidle状態（第２の状態）の２値に、さらにpending状態（第３の状態）を加えた３値のＣＣＡを用いる。受信信号が検出された直後は、pending状態に移行し、誤検出ではなく無線ＬＡＮ通信の受信信号であることが確認されるとbusy状態に移行する。pending状態においては、フレーム送信は停止されるが、連続したidle状態の区間のカウントに用いられているカウンタの値はクリアしない。これにより、フレームが到来していないにも関わらずフレーム到来を検出するようなフレーム誤検出による送信機会の喪失を防止することができる。
【００１７】
図１は、本実施の形態に係る通信装置の構成の一例を示すブロック図である。
【００１８】
通信装置１は、無線ＬＡＮ通信の伝送媒体が使用中（受信信号を受信中及び送信信号を送信中）か否かを判断し、この判断結果に基づいてbusy状態、pending状態、idle状態のいずれであるかを求めるキャリアセンス部２と、連続して伝送媒体が使用中でない時間（伝送媒体が空いている時間）のカウントに用いられるカウンタ３と、送信部４とを具備する。
【００１９】
キャリアセンス部２は、使用判断部５、状態判断部６、カウンタ設定部７、送信判断部８を具備する。
【００２０】
使用判断部５は、受信信号１０１に基づいて伝送媒体が使用中か否かを判断する。
【００２１】
状態判断部６は、使用判断部の判断結果に基づいて、伝送媒体が使用中であることを示すbusy状態か、伝送媒体が使用中でない（空いている）ことを示すidle状態か、伝送媒体が使用中か否かを判断中であり一時的に停留するpending状態か、を判断する。
【００２２】
カウンタ設定部７は、当該通信装置１が初期状態の場合や、状態判断部６によってbusy状態と判断された場合に（例えば他の状態からbusy状態に遷移した時点からbusy状態から他の状態に遷移するまでの間のいずれかにおいて）、カウンタ３に初期値（所定値）を設定する。
【００２３】
カウンタ設定部７は、状態判断部６での判断がbusy状態からidle状態に遷移した場合にカウンタにおける値の増加又は減少を開始させるためにカウント指示信号１０２をカウンタ３に出力する。
【００２４】
カウンタ設定部７は、状態判断部６での判断がidle状態からpending状態に遷移した場合にカウンタ３における値の増加又は減少動作を維持する。
【００２５】
送信判断部８は、カウンタ３から出力するカウント値１０３を入力し、状態判断部６によってidle状態と判断され、カウンタ３におけるカウント値１０３が所定のしきい値以上又は以下となった場合にデータ送信可能と判断し、送信許可信号１０４を送信部４に出力する。また、送信判断部８は、状態判断部６によってbusy状態と判断された場合、pendingと判断された場合、idle状態であるがカウンタ３におけるカウント値１０３が所定のしきい値以上又は以下になっていない場合、送信を禁止する。
【００２６】
送信部４は、送信要求信号１０５と、送信判断部８によってデータ送信可能と判断された旨を示す送信許可信号１０４とを入力すると、送信信号１０６を出力し、データ送信を行う。
【００２７】
図２は、カウンタ３のカウンタ値と、busy状態、idle状態、pending状態との関係の一例を示す図である。
【００２８】
キャリアセンス部２のカウンタ設定部７は、カウンタ３に対して、初期状態、フレーム受信後（フレーム受信開始からフレーム受信終了までのいずれかの時点でよい）、フレーム送信後（フレーム送信開始からフレーム送信終了までのいずれかの時点でよい）の場合において、初期値を持つよう設定する（ｔ１）。
【００２９】
カウンタ３のカウンタ値は、idle状態においてカウントダウンされる。キャリアセンス部２の送信判断部８は、idle状態Ｉ１においてカウンタ３のカウント値がゼロとなった時点（ｔ２）で、送信可能と判断し、送信部４は、送信フレームが用意されている場合には、送信フレームを送信する。そして、キャリアセンス部２の状態判断部６は、idle状態からbusy状態Ｂ１へ遷移する。
【００３０】
なお、ここでは、カウンタ３のカウント値はカウントダウンされるとしているが、カウンタ３のカウント値はカウントアップされ、idle状態においてカウント値が初期値よりも大きい所定値に到達した時点で、送信判断部８は、送信フレームを送信可能と判断するとしてもよい。また、キャリアセンス部２の送信判断部８は、idle状態においてカウンタ３のカウント値がゼロとなった時点で送信可能と判断するとしているが、idle状態において初期値よりも小さい他の所定の値となった時点で送信可能と判断するとしてもよい。
【００３１】
フレーム送信が終了すると（ｔ３）、キャリアセンス部２の状態判断部６は、busy状態Ｂ１からidle状態Ｉ２へ遷移し、キャリアセンス部２のカウンタ設定部７は、カウンタ３に初期値を設定し、カウンタ３はカウント値のカウントダウンを開始する。
【００３２】
ここで、ある時点（ｔ４）において、キャリアセンス部２の状態判断部６でidle状態Ｉ２から伝送媒体が使用されていることを示すbusy状態Ｂ２への遷移が発生すると、キャリアセンス部２のカウンタ設定部７は、カウンタ３に初期値を設定する。
【００３３】
キャリアセンス部２の状態判断部６においてbusy状態Ｂ２からidle状態Ｉ３への遷移が発生すると（ｔ５）、カウンタ３は、カウンタ値のカウントダウンを開始する。
【００３４】
ここで、ある時点（ｔ６）で、例えば電波の強さが所定のしきい値以上となる、所定形状の電波波形が検出される、などのトリガ条件を満たすことにより、伝送媒体が使用されているか空いているかの判断処理が発生したとする。
【００３５】
従来のキャリアセンス機能のように、本実施の形態のpending状態を扱わない場合、伝送媒体が使用中か否かの判断処理が発生すると、idle状態Ｉ３が維持されてカウンタのカウント値のカウントダウンが維持される、idle状態Ｉ３からbusy状態への遷移が発生してカウンタに初期値が設定される、のいずれかが行われる。前者の場合には、カウンタ値がゼロとなる時点（ｔ７）でフレーム送信Ｓ１が可能となるが、判断の結果伝送媒体が使用されていた場合には衝突が発生するという問題がある。後者の場合、さらにbusy状態からidle状態への遷移が発生した時点（ｔ８）からカウンタのカウントダウンが開始され、カウントダウン中は送信が停止され、カウンタ値がゼロとなった時点（ｔ９）で送信フレームの送信Ｓ２が可能となる。この場合、送信フレームの送信が遅れる。
【００３６】
これに対して、本実施の形態に係るキャリアセンス部２の状態判断部６は、伝送媒体が使用されているか空いているかの判断処理が発生した時点（ｔ６）で、idle状態Ｉ３からpending状態Ｐ１に遷移する。
【００３７】
pending状態Ｐ１において、カウンタ３は、伝送媒体が使用されていることを示すbusy状態ではないため、カウントダウンを進行させるが、キャリアセンス部２の送信判断部８は、伝送媒体が使用されている可能性はidle状態の場合よりも比較的高いと考えられるため、フレームの送信を禁止する。
【００３８】
本実施の形態において、キャリアセンス部２の状態判断部６においてpending状態Ｐ１と判断されている場合、カウンタ３のカウンタ値がゼロとなっても（ｔ７）、キャリアセンス部２の送信判断部８は、直ちに送信を許可することはない。これにより、伝送の衝突が発生することを防止できる。
【００３９】
キャリアセンス部２の使用判断部５による伝送媒体が使用されているか空いているかの判断処理の結果、伝送媒体が空いていると判断されると、キャリアセンス部２の状態判断部６は、pending状態Ｐ１からidle状態Ｉ４へ遷移する。キャリアセンス部２の送信判断部８は、idle状態Ｉ４であってカウンタの値がゼロであれば、フレームの送信Ｓ３を許可する。これにより、pending状態を扱わない場合よりも早期に送信フレームを送信可能とすることができる。
【００４０】
上記のような本実施の形態においては、データ伝送の衝突を回避することができ、さらに早期に送信機会を獲得することができる。本実施の形態に係る通信装置は、特に、伝送媒体が使用されているか空いているかの判断処理が頻繁に発生する状況で使用すると効果的である。
【００４１】
（第２の実施の形態）
本実施の形態においては、受信信号に基づいてbusy状態、pending状態、idle状態の状態遷移を行う通信装置の詳細構成について説明する。
【００４２】
図３は、本実施の形態に係る通信装置の構成の一例を示すブロック図である。
【００４３】
通信装置９は、受信信号強度測定部１０、しきい値判断部１１、受信トリガ部１２、プリアンブル検出部１３、受信部１４、キャリアセンス部１５、送信部１６を具備する。
【００４４】
受信信号強度測定部１０は、受信信号２０１を入力し、受信信号強度を測定し、測定結果をしきい値判断部１１に出力する。
【００４５】
しきい値判断部１１は、所定のしきい値と、受信信号強度測定部１０から入力した測定結果とを比較し、比較結果をキャリアセンス部１５に出力する。
【００４６】
受信トリガ部１２は、受信信号２０１に基づいて、フレーム受信開始信号を発行し、キャリアセンス部１５及び受信部１４に出力する。より具体的には、例えば、受信トリガ部１２は、受信信号電力の有意な立ち上がりを検出した場合、受信信号に所定の周期性を検出した場合、受信信号と所定の波形との一致性を検出した場合などにおいて、フレーム受信開始信号を発行することが考えられる。その他にも、特開２００４−１０４４９９号公報の信号先頭検出処理を用いるとしてもよく、過去に受信した信号に基づいて、受信フレーム到来が予想される時刻にフレーム受信開始信号を発行するとしてもよい。
【００４７】
受信部１４は、フレーム受信開始信号が入力された後、受信信号の復調、復号を開始し、当該フレームの受信が完了した後、フレーム受信終了信号をキャリアセンス部１５に出力する。
【００４８】
プリアンブル検出部１３は、受信トリガ部１２からのフレーム受信開始信号を入力した場合、受信信号２０１を解析し、受信信号２０１の先頭部分が所定の波形であるか否かを判断し、この判断結果をキャリアセンス部１５に出力する。
【００４９】
キャリアセンス部１５は、しきい値判断部１１、受信トリガ部１２、プリアンブル検出部１３、受信部１４からの出力信号を入力し、例えばIEEE802.11標準などの所定の規則にしたがって送信可否を判断する。
【００５０】
送信部１６は、送信フレームが用意され、かつ、キャリアセンス部１５において送信可能と判断された場合に、送信フレームを送信する。
【００５１】
図４は、本実施の形態に係るキャリアセンス部１５の状態遷移の一例を示す図である。
【００５２】
上述したように、busy状態は伝送媒体が使用されていることを示す状態であり、pending状態は伝送媒体が使用されているか空いているかを判断中の状態であり、idle状態は伝送媒体が空いていることを示す状態である。
【００５３】
まず、idle状態から他の状態への遷移について説明する。
【００５４】
キャリアセンス部１５は、idle状態において、しきい値判断部１１からの出力信号が受信信号強度がしきい値以上であることを示す場合に、busy状態に遷移する。
【００５５】
キャリアセンス部１５は、idle状態において、受信トリガ部１２からフレーム受信開始信号が発行された場合に、pending状態に遷移する。
【００５６】
キャリアセンス部１５は、idle状態において、受信信号強度がしきい値以上になると同時にフレーム受信開始信号が発行された場合に、前者を優先し、Busy状態に遷移する。
【００５７】
次に、pending状態から他の状態への遷移について説明する。
【００５８】
キャリアセンス部１５は、pending状態において、プリアンブル検出部１３から受信信号の先頭部分が所定の波形である（プリアンブルである）ことを示す信号を入力した場合に、busy状態に遷移する。
【００５９】
キャリアセンス部１５は、pending状態において、プリアンブル検出部１３から受信信号の先頭部分が所定の波形でない（プリアンブルでない）ことを示す信号を入力した場合に、idle状態に遷移する。
【００６０】
キャリアセンス部１５は、pending状態において、受信信号強度がしきい値以上になると同時にプリアンブル検出部１３から受信信号の先頭部分が所定の波形でない（プリアンブルでない）ことを示す信号を入力した場合に、前者を優先し、busy状態に遷移する。
【００６１】
次に、busy状態から他の状態への遷移について説明する。
【００６２】
キャリアセンス部１５は、busy状態において、フレーム受信中である場合、busy状態に停留する。例えば、キャリアセンス部１５は、フレーム受信中か否かの判断を、受信トリガ部から発行されるフレーム受信開始信号と、受信部から発行されるフレーム受信完了信号とに基づいて行う。
【００６３】
キャリアセンス部１５は、busy状態において、しきい値判断部からの出力信号が、受信信号強度がしきい値未満であることを示す場合、idle状態に遷移する。
【００６４】
キャリアセンス部１５は、busy状態において、フレーム受信中に受信信号強度がしきい値未満となった場合に、前者の遷移条件を優先し、busy状態に停留する。
【００６５】
なお、busy状態からpending状態に遷移する等の遷移条件を付け加えてもよい。
【００６６】
上記のようにキャリアセンス部１５の状態遷移を制御することにより、受信トリガ部１２において誤ってフレーム受信開始信号が発行された場合、すなわち、実際には受信フレームが到来していないにも関わらずフレーム受信開始信号が発行された場合であっても、busy状態に遷移することがなく、送信機会の喪失を軽減させることができる。
【００６７】
上記各実施の形態に係る通信装置の機能は、ソフトウェア及びハードウェアのいずれでも実現させることができる。上記各実施の形態に係る通信装置の各構成要素は、自由に組み合わせてもよく、分割してもよい。
【図面の簡単な説明】
【００６８】
【図１】本発明の第１の実施の形態に係る通信装置の構成の一例を示すブロック図。
【図２】カウンタのカウンタ値と、busy状態、idle状態、pending状態との関係の一例を示す図。
【図３】本発明の第２の実施の形態に係る通信装置の構成の一例を示すブロック図。
【図４】第２の実施の形態に係るキャリアセンス部の状態遷移の一例を示す図。
【符号の説明】
【００６９】
１，９…通信装置、２，１５…キャリアセンス部、３…カウンタ、４，１６…送信部、５…使用判断部、６…状態判断部、７…カウンタ設定部、８…送信判断部、１０…受信信号強度測定部、１１…しきい値判断部、１２…受信トリガ部、１３…プリアンブル検出部、１４…受信部
【図１】
2010028750.tif 000003
【図２】
2010028750.tif 000004
【図３】
2010028750.tif 000005
【図４】
2010028750.tif 000006